(57)【要約】【課題】便座の丸洗い等により便座を取り外した場合に、使用者および第三者が誤って本体側の電力供給の接続部に触れ危険を伴うという課題を有していた。【解決手段】便座４を温める発熱手段６と、便座４が本体３に取付けられているか否かを検出する便座着脱検出手段８と、便座着脱検出手段８によって便座４が本体３から外れたことを検知した場合に本体３の電力供給を遮断する電力遮断手段９とを備えたことにより、使用者および第３者が誤って本体３の便座４との接続部に触れても危険がないものである。【選択図】  図２
2004267509.tif 000002
【特許請求の範囲】
【請求項１】
便座を温める発熱手段と、便座が本体に取付けられているか否かを検出する便座着脱検出手段と、便座着脱検出手段によって便座が本体から外れたことを検知した場合に本体への電力供給を遮断する電力遮断手段とを備えたことを特徴とした衛生洗浄装置。
【請求項２】
便座を温める発熱手段と、便座の温度を検出するためにこの便座内に配設された温度検出手段と、前記温度検出手段から正常な信号が伝送されてこなかったときは便座が本体から外れたと判断し、本体への電力供給を遮断する電力遮断手段とを備えたことを特徴とした衛生洗浄装置。
【請求項３】
便座を温める発熱手段と、清掃作業を行うときに操作される掃除動作手段と、前記掃除動作手段により掃除動作が行われている間は本体の電力供給を遮断する電力遮断手段とを備えたことを特徴とした衛生洗浄装置。
【請求項４】
電力遮断手段は、本体の電力供給を遮断してから再度電力を供給する場合に所定時間のディレイをおいてから電力供給を再開することを特徴とした請求項１〜３いずれか１項記載の衛生洗浄装置。
【請求項５】
本体の電力供給を遮断した場合に、その状態を使用者に報知することができる報知手段を備えたことを特徴とした請求項１〜４いずれか１項記載の衛生洗浄装置。
【発明の詳細な説明】
【０００１】
【発明の属する技術分野】
本発明は、衛生洗浄装置の便座表面を発熱手段により加熱し採暖する便座暖房装置に関するものである。
【０００２】
【従来の技術】
従来の衛生洗浄装置の便座暖房装置としては、発振トランスを用いて本体と便座とを電気的に分離することにより便座の丸洗いを提供する構成が採用されている（例えば、特許文献１参照）。その一例を図７、図８に示す。
【０００３】
図７、図８において、衛生洗浄装置３１は、本体３２と、便座３３と、便座３３を温める発熱手段３４と、発熱手段３４への通電制御を行う制御手段３５と、便座３３の表面温度を検知する温度検知手段３６と、発振トランスの一次巻線３７および二次巻線３８を有し、前記本体３２側に発振トランスの一次巻線３７、便座３３側に二次巻線３８を配置したことにより、便座３３と本体３２とを電気的に分離し、便座３３を任意に取り外して丸洗いできるようにしたものである。
【０００４】
【特許文献１】
特開平０３−２８６７２８号公報（第１図〜３図）
【０００５】
【発明が解決しようとする課題】
しかしながら上記従来の構成では、一般的に用いられている発熱手段３４のワット容量が数十ワット程度のものなので、発振トランスの一次巻線３７及び二次巻線３８としては非常に大きいものを使用しなければならず、製品内におけるスペースが必要であるため、製品自身が非常に大きくなってしまう。
【０００６】
また、発振トランス自身のコストも高いものであり、それに伴って製品自身の値段が非常に高いものになってしまうという課題を有していた。
【０００７】
本発明は、このような従来の課題を解決するものであり、非常に安価でかつ小型で便座の丸洗いを可能とした衛生洗浄装置を提供することを目的とする。
【０００８】
【課題を解決するための手段】
上記の課題を解決するために本発明は、便座を温める発熱手段と、便座が本体に取付けられているか否かを検出する便座着脱検出手段と、便座着脱検出手段によって便座が本体から外れたことを検知した場合に本体への電力供給を遮断する電力遮断手段とを備えたものである。
【０００９】
これによって、便座が本体から取り外された場合に、本体と便座との接続部に電力が供給されないため、使用者および第三者が誤って本体の便座との接続部に触れても危険がない。
【００１０】
この結果、使用者が安心且つ安全に便座を取り外して丸洗いを行うことが可能となり、便座の掃除が迅速かつ確実に行え便座を清潔に保持できる。
【００１１】
また、非常に小型でかつ安価なので使用者に丸洗い可能な便座を提供することができる。
【００１２】
【発明の実施の形態】
上記の目的を達成するために本発明は、便座を温める発熱手段と、便座が本体に取付けられているか否かを検出する便座着脱検出手段と、便座着脱検出手段によって便座が本体から外れたことを検知した場合に本体への電力供給を遮断する電力遮断手段とを備えたことを特徴としたものである。
【００１３】
また本発明は、便座を温める発熱手段と、便座の温度を検出する便座内に配設された温度検出手段と、前記温度検出手段から正常な信号が伝送されてこなかったときは便座が本体から外れたと判断し、本体への電力供給を遮断する電力遮断手段とを備えたことを特徴としたものである。
【００１４】
また本発明は、便座を温める発熱手段と、清掃作業を行うときに操作される掃除動作手段と、前記掃除動作手段により掃除動作が行われている間は本体の電力供給を遮断する電力遮断手段とを備えたことを特徴としたものである。
【００１５】
また本発明は、電力遮断手段は、本体の電力供給を遮断してから再度電力を供給する場合に所定時間のディレイをおいてから電力供給を再開することを特徴としたものである。
【００１６】
さらに本発明は、本体の電力供給を遮断した場合に、その状態を使用者に報知することができる報知手段を備えたことを特徴としたものである。
【００１７】
このように、電力遮断手段が便座着脱検出手段による便座の脱落の検出時、温度検知手段からの正常信号の不検出時、掃除動作手段の稼動時に、本体の電力供給を遮断することによって、使用者および第三者が誤って本体の便座との接続部に触れても危険がない。
【００１８】
このため、使用者が安心且つ安全に便座を取り外して丸洗いを行うことが可能となり、便座の掃除が迅速且つ確実に行え、便座を清潔に保持できる。
【００１９】
また電力遮断手段が遮断から再度の電力供給時に所定時間のディレイを設けることで、便座の取付途中で電力が供給されることがないため、便座の取付途中で使用者が本体と便座との接続部に触れても危険がない。
【００２０】
また報知手段をもって発熱手段に供給されていた電力の供給を遮断したことを使用者に知らせることにより、さらに安心して便座を外し掃除することができ、掃除が迅速かつ確実に行え、便座を清潔に保持できる。
【００２１】
また、高価な発振トランスなどを使用せずとも、本発明により使用者が安全に便座を本体から取り外し、丸洗いを行うことができる。さらに、発振トランスを使用しないことにより、非常に安価かつ小型の衛生洗浄装置を提供することができる。
【００２２】
【実施例】
（実施例１）
図１〜図３において、衛生洗浄装置１は、便器２の後部上面に設けられる本体３と、使用者が座って用を足す便座４と、非使用時の前記便座４を覆う便蓋５とから構成される。
【００２３】
前記便座４は、発熱手段６を内蔵しており、便蓋５とともに本体３に開閉自在に装着され、且つ本体から取り外し可能な構成を有している。
【００２４】
また前記本体３には、使用者が選択した所定の温度になるように発熱手段６への通電を制御する制御手段７が備えられ、前記便座４の表面温度の制御を行っている。
【００２５】
ただし、便座４が本体３に取付けられているか否かを検出する便座着脱検出手段８によって本体から外れていると検出された場合には、電力遮断手段９によって本体の電力供給を遮断することができる。なお、便座着脱検出手段８には機械的スイッチやセンサ等がある。
【００２６】
また、１０は衛生洗浄装置１を操作するためのリモートコントローラ（以下リモコン）、１１は商用コンセント１２から本体３に電力を入力するためのコンセントプラグ、１３は水タンクである。
【００２７】
以上の構成において、便座４が本体３に装着されているときは発熱手段６へ電力が供給される。前記発熱手段６への通電量は制御手段７により所定の温度になるようコントロールされている。
【００２８】
また、便座着脱検出手段８により便座４が本体３から外れていると検出された場合に、電力遮断手段９は制御手段７の遮断信号を受け本体の電力供給を遮断する。
【００２９】
その結果、本体３の便座４との接続部に電力が供給されないため、誤って接続部に触れたとしても安全である。
【００３０】
また掃除のために本体３から取り外した場合や、外した後に第３者が接続部に触れた場合にも上記同様な効果を奏する。
【００３１】
このために安全に便座４を取り外して丸洗いを行うことが可能となり、その結果、便座４の掃除が確実に行え便座４を清潔に保持できる。
【００３２】
なお、便座着脱手段８は本体３側また便座４側のどちらに設けてもよい。本体３側に設けた場合は、便座４の軽小などにつながり便座４の丸洗いに貢献する。
【００３３】
（実施例２）
図４、図５において特徴とする構成は、便座４を温める発熱手段６と、便座４の温度を検出する便座４内に配設された温度検出手段１４と、前記温度検出手段１４から正常な信号が伝送されてこなかったときは便座４が本体３から外れたと判断し、本体の電力供給を遮断する電力遮断手段９とを備えたことを特徴としたものである。
【００３４】
以上の構成において、前記本体３と便座４が接続されているとき、便座４内に配設された温度検出手段１４は、便座４の温度を検出し前記制御手段７に信号を伝送する。制御手段７は前記温度検出手段１４によって検出した温度に応じて、便座４を所定の温度になるようにコントロールしている。
【００３５】
一方、使用者が製品の掃除等で前記便座４を本体３から取り外した場合には温度検出手段１４と制御手段７は切り離された状態となる。その場合においても、本体３はコンセント１２から電力が入力されており、この本体に設けられた制御手段７は温度検出手段１４からの信号を求め稼動している。
【００３６】
しかし、上記のように温度検出手段１４は切り離されているため、温度検出手段１４から正常な信号が制御手段７に伝送されない。このように正常な信号が伝送されてこなかったときは便座４が本体３から外れたと判断し、本体の電力供給を遮断する。
【００３７】
したがって、意識的に便座４を取り外した場合や事故等により偶発的に外れた場合でも、自動的に発熱手段６に供給されていた電力の供給を遮断するため、使用者または第三者が誤って接続部に触れたとしても安全である。
【００３８】
このために安心且つ安全に前記便座４を取り外して丸洗いを行うことが可能となり、その結果、便座４の掃除が確実に行え便座４を清潔に保持できる。
【００３９】
（実施例３）
図６において特徴とする構成は、便座を温める発熱手段と、清掃作業を行う掃除動作手段１５と、前記掃除動作手段１５により掃除動作が行われている間は本体の電力供給を遮断する電力遮断手段９とを備えたことを特徴としたものである。
【００４０】
以上の構成において、近年のように掃除用に少量の水を流し便器２の掃除を行うための掃除動作を行うモ一ド（以下掃除モード）が設けられている場合が一般的である中、この掃除モードを用いる時は製品を通常使う場合の機能である洗浄や脱臭等の動作を行う必要がないことは勿論、使用者が便座４に着座していないと考えられるため、便座４を発熱手段６によって温める必要がない。
【００４１】
さらに前記掃除モード使用中において、前記便座４を本体３より取り外して便座４を掃除することが多い。
【００４２】
このために、前記掃除動作手段１５により掃除動作が行われている間に電力遮断手段９が本体の電力供給を遮断することで、掃除時に便座４が本体３から取り外されても、本体３と便座４との接続部に電力が供給されないため使用者が安心、且つ安全に便座４を取り外して丸洗いを行うことが可能となり、便座４の掃除が迅速かつ確実に行え、便座４を清潔に保持できる。
【００４３】
（実施例４）
本実施例において特徴とする構成は、電力遮断手段９は、本体の電力供給を遮断してから再度電力を供給する場合に所定時間のディレイをおいてから電力供給を再開することを特徴としたものである。
【００４４】
また上記の所定時間のディレイは、装置内に設けられた遅延素子などのハード的な手段やプログラムなどのソフト的な手段により生成されるものである。
【００４５】
以上の構成において、便座４を本体３から取り外した状態から再度便座４を本体３に取り付ける場合に、取り付けられているか否かを検出しているセンサの応答性や便座４と本体３との接続部の勘合等により、便座４が本体３に取り付けられている状態と取り外されている状態とを繰り返す。
【００４６】
このとき、衛生洗浄装置の本体３においても同様に、制御手段７および電力遮断手段９を介して発熱手段６へ電力を供給したり、電力供給を遮断したりと電力の供給と遮断とを繰り返し行う。
【００４７】
したがって、便座４が本体３に完全に取り付けられていない状態で便座４の本体３との接続部に電力が供給されてしまうことが生じるため、使用者が誤って前記接続部に接触した場合、危険が伴う可能性がある。
【００４８】
そのために、電力遮断手段９が本体の電力供給を遮断してから再度電力を供給する場合に所定時間のディレイを設けることで、便座４の取付途中で電力が供給されることないため、便座４の取付途中で使用者が本体３と便座４との接続部に触れても危険がない。
【００４９】
なお、所定時間のディレイは、個人または複数人の反応速度のパターン等に応じて手動でに定められることもできる。
【００５０】
また、電力の遮断およびその開始をそれぞれ使用者が音声や手動でボタンなどを押すことにより行うこともできる。
【００５１】
（実施例５）
本実施例において特徴とする構成は、本体の電力供給を遮断した場合に、その状態を使用者に報知することができる報知手段を備えたことを特徴としたものである。
【００５２】
以上の構成において、本体の電力供給を遮断した場合に、遮断したことを知らせることにより使用者は感電する恐れなどからくるストレスを感じることなく安心して便座４等を掃除することができ、掃除が迅速かつ確実に行え、便座４を清潔に保持できる。
【００５３】
なお、報知手段としては、文字および画像などを用いたディスプレイや光でお知らせするランプ等の目視可能なシステムや、メロディ等の音および振動等によりお知らせるシステムなどがある。
【００５４】
また、この報知手段を用いて電力の供給がされる前に使用者にお知らせをすることも可能である。
【００５５】
【発明の効果】
本発明によれば、電力遮断手段が便座着脱検出手段、温度検出手段によって便座が本体より取り外されている場合や、掃除動作手段が稼動している間や所定時間のディレイが経つまでの間に本体の電力供給を遮断することで、使用者または第３者が本体と便座との接続部に誤って触れても危険がない。
【００５６】
したがって、使用者が安心且つ安全に使座を取り外して丸洗いを行うことが可能となり、便座の掃除が迅速且つ確実に行え  便座を清潔に保持できる。
【００５７】
また高価な発振トランスなどを使用せずとも、使用者が安心且つ安全に便座を本体から取り外し、丸洗いを行うことができる。さらに、発振トランスを使用しないことにより、非常に安価かつ小型の衛生洗浄装置を提供することができる。
【図面の簡単な説明】
【図１】本発明の実施例における便座装置の外観斜視図
【図２】本発明の実施例１における衛生洗浄装置の概略図
【図３】本発明の実施例１における衛生洗浄装置のブロック図
【図４】本発明の実施例２における衛生洗浄装置の概略図
【図５】本発明の実施例２における衛生洗浄装置のブロック図
【図６】本発明の実施例３における衛生洗浄装置のブロック図
【図７】従来の衛生洗浄装置の概略図
【図８】従来の衛生洗浄装置のブロック図
【符号の説明】
１  衛生洗浄装置
２  便器
３  本体
４  便座
５  便蓋
６  発熱手段
７  制御手段
８  便座着脱検出手段
９  電力遮断手段
１４  温度検出手段
１５  掃除動作手段
【図１】
2004267509.tif 000003
【図２】
2004267509.tif 000004
【図３】
2004267509.tif 000005
【図４】
2004267509.tif 000006
【図５】
2004267509.tif 000007
【図６】
2004267509.tif 000008
【図７】
2004267509.tif 000009
【図８】
2004267509.tif 000010